(57)【要約】  眼鏡用フレームは、各アーム（５）の関節のための複数の側面突出部（４）を有する正面フレームワーク（２）と、正面フレームワークに対する各アームの関節接続のための各突出部（４）と対応するアーム（５）の関節手段とを備える。関節手段は、各アーム（５）のために、突出部及びアームから構造的に独立するとともに、アーム（５）上に保持され、対応する突出部（４）上に設けられた少なくとも一つの蝶番ピン（７）に回転可能に連結される可撓性部材（９）を備える。対応する突出部に対向する各アームの端部は、突出部の表面形状に接触し、蝶番ピン（７）に対する移動において、アーム（５）が正面フレームワークに対して予め選択した角度位置に向けて柔軟に押さえつけられるような方法で成形される。角度位置は、眼鏡を装着するのに適したアームの開位置と、正面フレームワーク上に折り曲げられたアームの閉位置とを含む。眼鏡用フレームは、各アーム（５）のために、該アームと対応する可撓性部材（９）の間に差し込まれる距離素子（１５）をさらに備える。距離素子は、該距離素子（１５）のレベルにおいて、アーム（５）と可撓性部材（９）との間の予め選択した距離を与えるとともに、その結果、蝶番ピン（７）に回転可能に連結されるときに、可撓性部材に掛かる可撓性の予荷重を調節するために、調整可能な方法でアーム上に載置される。【選択図】図１
2019505851.tif 000002
【特許請求の範囲】
【請求項１】
各アーム（５）の関節のための複数の側面突出部（４）を有する正面フレームワーク（２）と、
前記正面フレームワークに対する前記各アームの関節接続のための前記各突出部（４）と対応する前記アーム（５）の関節手段と、
を備える眼鏡用フレームであって、
前記関節手段は、前記各アーム（５）のために、前記突出部（４）及び前記アーム（５）から構造的に独立するとともに、前記アーム（５）上に保持され、対応する前記突出部（４）上に設けられた少なくとも一つの蝶番ピン（７）に回転可能に連結される可撓性部材（９）を備え、
対応する前記突出部に対向する前記各アーム（５）の端部は、前記突出部（４）の表面形状に接触し、前記蝶番ピン（７）に対する移動において、前記アーム（５）が前記正面フレームワーク（２）に対して予め選択した角度位置に向けて柔軟に押さえつけられるような方法で成形され、
前記角度位置は、眼鏡を装着するのに適した前記アーム（５）の開位置と、前記正面フレームワーク（２）上に折り曲げられた前記アーム（５）の閉位置とを含み、
前記眼鏡用フレームは、前記各アーム（５）のために、該アーム（５）と対応する前記可撓性部材（９）の間に差し込まれる距離素子（１５）をさらに備え、
前記距離素子（１５）は、該距離素子（１５）のレベルにおいて、前記アーム（５）と前記可撓性部材（９）との間の予め選択した距離を与えるとともに、その結果、前記蝶番ピン（７）に回転可能に連結されるときに、前記可撓性部材（９）に掛かる可撓性の予荷重を調節するために、調整可能な方法で前記アーム（５）上に載置される、
眼鏡用フレーム。
【請求項２】
請求項１に記載の眼鏡用フレームにおいて、
前記距離素子（１５）は、前記可撓性部材（９）の前記アームを保持する領域と、前記蝶番ピン（７）に対する前記可撓性部材の関節の領域との間の位置において、前記アーム（５）上に載置される、
眼鏡用フレーム。
【請求項３】
請求項２に記載の眼鏡用フレームにおいて、
前記距離素子（１５）は、前記アーム内に作られた第１貫通口（１６ａ）に規定されるハウジング（１６）内に少なくとも部分的に収納され、前記アーム（５）からの横への突出がより小さい第１位置と、前記アームの横への突出がより大きい第２位置との間の前記ハウジング（１６）内で回転可能であり、前記より大きい突出は、前記アーム（５）と対応する前記可撓性部材（９）との間に設定される距離を決定する、
眼鏡用フレーム。
【請求項４】
請求項３に記載の眼鏡用フレームにおいて、
前記アーム（５）は、前記眼鏡用フレームが装着される頭部に対向する内側と、反対の外側とを有し、
前記距離素子（１５）は、前記アーム（５）の前記外側から横方向に突出するとともに、前記第１及び第２位置間で前記距離素子（１５）を回転させるのに適したツールのための掴み面をその内側に有する、
眼鏡用フレーム。
【請求項５】
請求項４に記載の眼鏡用フレームにおいて、
前記アーム（５）の外側には、前記第１貫通口（１６ａ）の近くに位置し、直径方向に互いに対向する一対の表面凹部（１９）が設けられ、
該一対の表面凹部（１９）は、前記第１位置において、前記距離素子（１５）の筒状本体（１５ａ）から延伸する一対のタブ（１７）を受けるのに適し、
前記タブ（１７）は、前記第１位置に対して、前記アーム（５）の外側への前記距離素子（１５）のより大きい突出を設定するために、前記第２位置において、前記表面凹部（１９）との係合が解かれる、
眼鏡用フレーム。
【請求項６】
請求項４又は５に記載の眼鏡用フレームにおいて、
前記各アーム（５）は、最小の遊びで前記可撓性部材（９）の第１部分（１０）を収納可能な第２貫通口（１１）を備え、
前記第１部分（１０）は、２つの反対端において、前記可撓性部材の第２部分（１２）及び第３部分（１３）にそれぞれ接合され、
前記アーム（５）上に前記可撓性部材（９）を保持するために、前記第１部分（１０）が前記貫通口（１１）内に係合されるとき、前記第２及び第３部分（１２、１３）は、前記アーム（５）の内側及び外側にそれぞれ沿って平らに位置するような方法で成形される、
眼鏡用フレーム。
【請求項７】
請求項６に記載の眼鏡用フレームにおいて、
前記可撓性部材（９）の前記第３部分（１３）は、前記第１部分（１０）と反対側に、互いに離間した一対の指状部（９ａ、９ｂ）まで延伸し、
前記一対の指状部（９ａ、９ｂ）は、前記眼鏡用フレームの対応する突出部（４）上に形成された円筒状の一対の蝶番ピン（７）に回転可能に連結するために、それぞれの端部で折り曲げられる、
眼鏡用フレーム。
【請求項８】
請求項１から請求項７のいずれか一項に記載の眼鏡用フレームにおいて、
前記可撓性部材（９）は、所定の柔軟性を有するシート構造を含む、
眼鏡用フレーム。
【請求項９】
請求項１から請求項８のいずれか一項に記載の眼鏡用フレームにおいて、
前記可撓性部材（９）は、金属シートの形状に作られる、
眼鏡用フレーム。
【請求項１０】
請求項６に記載の眼鏡用フレームにおいて、
前記アーム（５）は、対応する前記突出部（４）に対向する前記アーム（５）の前記自由端部（５ｃ）に設けられた第３貫通口（２１）を備え、
前記第３貫通口（２１）は、最小の遊びで、対応する前記突出部（４）から突出する歯部（２２）と摺動可能に係合することができ、少なくともその回転の一部のために、前記正面フレームワーク上の前記アームの閉位置から離れたり、該閉位置に向けて移動したりするように、前記アーム（５）を案内する、
眼鏡用フレーム。
【請求項１１】
請求項１０に記載の眼鏡用フレームにおいて、
前記第３、第１及び第２の貫通口（２１、１６ａ、１１）は、前記アームの前記自由端部（５ｃ）から始まり、互いに一直線となって、互いに離間して前記アーム（５）内で延びる、
眼鏡用フレーム。
【請求項１２】
請求項１から請求項１１のいずれか一項に記載の眼鏡用フレームにおいて、
各突出部は、互いに隣接して角度のついた第１及び第２表面部（２４、２５）を備え、
前記第１及び第２表面部（２４、２５）は、それぞれ、前記アームの開位置及び閉位置において、対応する前記突出部に対向する前記アームの自由端部（５ｃ）の表面に当接するよう意図され、
前記アームの前記端部は、前記開位置と閉位置の間の前記アームの移動において、前記突出部の前記第１及び第２表面部（２４、２５）の間に規定される角部（２６）に摺動可能に当接し、
前記アームは、前記角部に対して回転並進動作をする、
眼鏡用フレーム。
【請求項１３】
請求項２に記載の眼鏡用フレームにおいて、
前記距離素子（１５）は、その内側において前記アーム（５）に取り付けられたねじ軸受け筒（３１）にねじ止めされることにより係合するのに適したねじ込みステム（１５’）を備え、
前記ねじ込みステム（１５’）は、該ねじ込みステム（１５’）の外側に突出するように、前記アームに設けられる貫通孔を貫通し、それにより、前記アーム（５）と前記可撓性素子（９）の間の予め選択した距離を作り、その結果、前記可撓性部材に及ぼされる可撓性の予荷重を調節する、
眼鏡用フレーム。
【発明の詳細な説明】
【技術分野】
【０００１】
本発明は、主請求項１の前置き（プリアンブル）に記載された特徴を有する眼鏡用フレームに関する。
【背景技術】
【０００２】
特定の技術分野では、アームの正面フレームワークへの関節接続が、各ピンと、ともに回転可能に連結される小穴とを有する蝶番装置（ヒンジ装置）により達成されるメガネフレームが周知である。前記装置の蝶番素子は、アームとフレームの突出部とに好適に取り付けられる。
【０００３】
先行技術により利用可能な種々のバージョンにおいて、この種の解決手段は、蝶番ねじ又はピンの可能な望ましくない緩み、蝶番関節に必要な複数の構成要素を製造する必要性、必要な構成要素により決まるかさ高さ、軽量のフレームでの使用に適さない蝶番装置の重量などのある制限を伝統的に伴う。
【０００４】
また、上述したタイプのあらゆる伝統的な蝶番構造を提供しないフレームの正面突出部へのアームの関節接続のための解決手段も公知である。例えば、公知のシステムは、十分な長さにわたって、いくつかの別々のパーツに分解されるべき正面突出部に対向するアーム端部を提供し、前記パーツに相互に可撓性のある動きをもたらす。前記パーツの１つ以上の湾曲端部は、他のパーツとともに、フレーム上に設けられるピン形状の周りに関節式方法でアームを保持する。
【０００５】
そのような解決手段は、アームをいくつかのパーツに細分化するためのアームの特別な機械加工を必要とすることに加え、必然的に前記アームの材料の柔軟特性と関係がある。
【０００６】
また、薄い弾力板（可撓性プレート）を提供する解決手段も公知である。この弾力板は、アームに取り付けられ、蝶番連結を介して、フレームの正面突出部内に設けられるピン形状と回転可能に係合するように成形される。
【０００７】
これらの解決手段では、プレート内の予め選択された可撓性の予荷重が、蝶番の構成要素の組立てと同時に誘発されるので、組立て段階を完了するためには、弾力板の弾性復帰に対して適切に押圧することにより、弾力板を変形させる必要がある。この作業は、特別な組立装置を使用する義務が生じる場合もある作業者にとって、特に容易ではない。
【発明の概要】
【発明が解決しようとする課題】
【０００８】
本発明の主目的は、公知の解決手段を参照して概説した制限を克服するように構造的及び機能的に設計されたフレームの前部にアームを関節接続させる手段を備えた眼鏡用フレームを提供することにある。眼鏡用フレームは、特に、アームの関節手段に関して、特に薄くて軽いフレームにさえ適用可能にするように、特有の軽さと限られたかさのフレームに容易に組み付けられる単純な構造を有する。
【０００９】
本発明の別の目的は、アームが作られる材料から独立して、アームの関節系の柔軟特性を提供することにある。
【課題を解決するための手段】
【００１０】
以下で明らかになる他の目的と同様に、上記目的は、添付の特許請求の範囲に応じて製造される眼鏡用フレームにより達成される。
【図面の簡単な説明】
【００１１】
本発明の更なる特徴及び利点は、添付図面を参照して、限定的ではない例として与えられる好適実施形態の以下の詳細な記載からより明確になるであろう。
【図１】本発明により製造される眼鏡用フレームの正面図である。
【図２】図１の眼鏡用フレームの上部から見た平面図である。
【図３】拡大スケールにおける前図の眼鏡用フレームの詳細の部分断面分解斜視図である。
【図４】拡大スケールにおける図３の詳細の部分断面斜視図である。
【図５】拡大スケールにおける図３の更なる詳細の平面図である。
【図５Ａ】図示した詳細の変形例における図５の対応する部分の図である。
【図６】拡大スケールにおける図３の更なる詳細の斜視図である。
【図７】図６の詳細の正面図である。
【図７Ａ】拡大スケールにおける図３の更なる詳細の側面図である。
【図８】図３に示す詳細を組み立てる工程中のフレームの部分斜視図である。
【図９】組立工程中のフレームのいくつかの詳細の部分斜視図である。
【図１０】フレームを組み立てる異なる工程中の図９の詳細の部分斜視図である。
【図１１】フレームを組み立てる異なる工程中の図９の詳細の部分斜視図である。
【図１２】組立状態における図３の詳細の部分斜視図である。
【図１３】組立状態における図３の詳細の部分斜視図である。
【図１４】フレームの正面フレームワークに対する軸の１つを中心とする回転の異なる条件におけるフレームの部分斜視図である。
【図１５】フレームの正面フレームワークに対する軸の１つを中心とする回転の異なる条件におけるフレームの部分斜視図である。
【図１６】フレームの正面フレームワークに対する軸の１つを中心とする回転の異なる条件におけるフレームの部分斜視図である。
【図１７】長手方向部分断面において、分離したパーツを有する図３に示す本発明の詳細の側面図である。
【図１８】部分断面におけるフレームの組立状態に示す図１７の詳細の側面図である。
【発明を実施するための形態】
【００１２】
上記図面を参照して、参照符号１は、本発明に係る眼鏡用フレームの全体を示す。眼鏡用フレーム１は、一対の対向横突出部４とともに、２つのレンズ３を保持する正面フレームワーク２を備える。突出部４は、正面フレームワークに対する各アーム５の関節接続のために設計される。対応する突出部４に対する各アーム５の関節接続のために、眼鏡用フレーム１は、全体として参照符号６で示す各関節手段を備える。各関節手段６は、正面フレームワークに対して、アームの対応する開位置と閉位置の間の回転を可能にするのに適している。
【００１３】
以下、全く同じ構造的、機能的な特徴のため、フレームの正面フレームワーク上の２つのアームの一方のみの関節手段を説明する。図面からわかるように、好ましくは、アーム５は、（ユーザの頭部へのアームの十分で快適な支持のために好適に形成された一方のアーム端部を除き、）薄いシートの形状を有する。同様に、突出部は、主に、薄いシート形状を有するよう意図される。言い換えれば、アーム（及び対応する突出部）の横断面は、眼鏡を装着した頭部の領域に基本的に平行に測定したアーム高さ寸法を有する。この高さ寸法は、高さに垂直な平面で測定したアームの厚さよりもはるかに大きい。薄い部分の構造は、顕著な審美的効果の全体デザインをフレームに与えることと同様に、作られる材料、好ましくは、金属の選択とともに、減らされたアームのかさ及び特に細長くて軽い長手方向の展開と、アーム全体として非常に軽量の特徴とを与える。
【００１４】
上述のシート構造に従って、アーム５の厚さは、アーム５の対向する側面５ａ、５ｂ間で規定される。側面５ａは、アームの内側に特定され、すなわち、ユーザの頭部に対向する一方であり、側面５ｂは、アームの反対の外側に特定される。
【００１５】
また、参照符号５ｃは、対応する突出部４に対向するアーム５の端部を示す。端部５ｃは、耳の領域においてフレームを支持するのに適したアーム端部の長手方向反対側に配置される。
【００１６】
突出部において、関節手段６は、少なくとも一つの蝶番ピン、好ましくは、参照符号７により示す一対の蝶番ピンを備える。一対の蝶番ピンは、突出部４の中心体８の反対側から挿入され、互いに同軸である。各蝶番ピンは、正面フレームワークに対するアームの関節連結において、対応するアーム５と連携するのに適している。関節手段６は、突出部４及びアーム５から構造的に独立した参照符号９で示す可撓性部材をさらに備える。
【００１７】
また、好ましくは、可撓性部材９は、シート構造を有し、都合よく、薄くて可撓性のある金属プレートから作られる。材料の選択、シートの寸法、及びその幾何形状に応じて、可撓性部材９は、予め選択した柔軟度を有する。好適な選択によれば、可撓性部材９は、鉄鋼、特に、クラス「ＡＩＳＩ３０４」鋼から作られる。鉄鋼は、有利に、弾性復帰の能力及び（一般的に、構成要素の適切な熱処理により得られる）耐破損性のために、ばね鋼に典型的な弾性変形を受けるよう意図された構成要素の製造に適している。
【００１８】
以下で詳述するように、可撓性部材９は、アーム５上に保持され、蝶番配列において、蝶番ピン７に回転可能に連結するように成形される。
【００１９】
この蝶番連結のために、可撓性部材９には、両端部の一方に一対の指状部９ａ、９ｂが設けられる。一対の指状部９ａ、９ｂは、互いに離間しており、蝶番連結を作るように、（適切に開いた筒状の表面形状で）蝶番ピン７に連結して折り曲げられる。
【００２０】
突出部４に対向するアームの端部５ｃは、以下でより詳細に説明する突出部４の表面形状に当接するように意図され、蝶番ピン７に対する移動において、アーム５が正面フレームワークに対して予め選択した角度位置に向けて柔軟に押さえつけられるような方法で成形される。前記角度位置は、眼鏡を装着するのに適したアームの開位置と、正面フレームワーク上に折り曲げられたアームの閉位置とを含む。
【００２１】
アーム５上に可撓性部材９を保持するために、最小の遊びで、アーム５に作られた貫通口１１に収納可能な前記可撓性部材９の部分１０が設けられる。好ましくは、貫通口１１は、閉じた外形形状を有し、好ましくは、アームの長手方向の展開方向を横切る長辺を有する長方形である。
【００２２】
部分１０は、その対向する両端部において、参照符号１２及び１３によりそれぞれ示す可撓性部材９の第２及び第３部分に接続される。突出部へのアームの組み立てが完了し、部分１０が貫通口１１に係合されるとき、２つの部分１２、１３がアーム内側面５ａとアームの外側面５ｂにそれぞれ対向するような方法で、前記部分１２、１３は、部分１０の両端部から該部分１０に実質的に垂直な方向に延伸する。都合よく、部分１０、１２、１３は、図５に示すように、隣り合う部分の間の屈曲角が約９０度であるように、可撓性部材９が作られるシートを屈曲させることにより得られればよい。
【００２３】
また、部分１２も、アームの内側面５ａに実質的に接触するような方法で成形されるが、部分１３は、アームの外側面５ｂから離間したままになるような方法で成形される。また、アームの内側面５ａの表面上に作られた凹部５ｄに少なくとも部分的に収納される部分１２が設けられる。部分１３は、図５に示すように、部分１０の反対側において、部分１３に対して所定の角度で展開する指状部９ａ、９ｂまでさらに延伸する。図５Ａに示す可撓性部材９の変形例では、部分１３と指状部９ａ、９ｂとの間の接続領域は、図５の例で提供されるものに対して、より大きい曲率半径により特徴付けられる。本発明の主な特徴によれば、眼鏡用フレーム１は、各アーム５において、参照符号１５により示す各距離素子を備える。各距離素子１５は、アーム５と対応する可撓性部材９との間に差し込まれ、前記距離素子のレベルにおいて、アームと可撓性部材との間の予め選択した距離を与えるとともに、その結果、蝶番ピン７に回転可能に連結されるとき、可撓性部材９に及ぼされる可撓性の予荷重を調節するために、調整可能な方法でアーム上に載置される。
【００２４】
距離素子１５は、アーム５上であって、（部分１０が係合される貫通口１１の周りで）可撓性部材を保持するアームの領域と、蝶番ピン７の蝶番関節の領域との間の位置に載置される。より具体的には、図面から明らかに分かるように、可撓性部材９の部分１３に向けてアームの外側面５ｂから突出する方法で、アームに載置される距離素子１５が設けられる。
【００２５】
また、前記距離素子１５は、アーム５内に作られた円形貫通口１６ａに規定されるハウジング１６内に、少なくとも部分的に回転可能に収納される。この連結のおかげで、距離素子は、アームからの横への突出がより小さい第１位置と、アームからの横への突出がより大きい第２位置との間において、ハウジング１６内で回転可能である。前記突出は、アームと可撓性部材との間に設定される距離を決定する。
【００２６】
より具体的には、距離素子１５は、筒状外形を有する本体１５ａを備える。軸方向両端部の一方において、参照符号１７により示す一対のタブは、互いに一直線となって、互いに対向して直径方向に距離素子１５から延伸する。本体１５ａには、一対の対向する切込み１８も作られる。切込み１８は、軸方向に延伸し、ツール（図示せず）により係合されるよう設計された掴み面を規定する。該ツールは、主軸方向延伸軸を中心に距離素子を回転させるのに適している。この構造のおかげで、該ツールは、フレームの内側から、すなわち、アームの内側面５ａ上において、把持方法で距離素子と係合することができる。
【００２７】
また、アーム５の外側面５ｂは、参照符号１９により示す一対の表面凹部を備える。一対の表面凹部１９は、貫通口１６ａの近くに位置し、前記貫通口に対して直径方向に並べられる。前記表面凹部１９は、距離素子が第１位置にいるとき、アームから最小で突出しつつ（図１０）、各タブ１７を収容する。
【００２８】
各タブ１７における参照符号２０は、一対の傾斜壁を示す。第１位置から距離素子が回転すると、傾斜壁の形状は、第２位置に到達するまでアームの外側における距離素子の突出の増加をもたらす。第２位置では、タブ１７は、各表面凹部１９との係合が解かれ、結果として、アームの外側面５ｂからの距離素子１５のより大きい突出をもたらす（図１１及び図１２）。
【００２９】
参照符号２１は、対応する突出部４に対向するアームの自由端部５ａに配置され、アーム５を貫通する更なるスロット貫通口を示す（好ましくは、矩形の閉輪郭を有する）。貫通口２１は、最小の遊びで、対応する突出部４から突出する歯部２２と摺動可能に係合することができる。この連結は、前記アームの閉位置から離れたり、閉位置に向けて移動したりするように、少なくとも正面フレームワークに対する回転の一部のために、突出部に対してアームをしっかりと案内することを助ける。特に図４を参照して、自由端部５ａから始まり、前記アームの長手方向の展開方向に沿って、互いに一直線となって、互いに離間してアーム内で延びる貫通口２１、１６ａ、１１が設けられる。
【００３０】
自由端部５ｃにおいて、アームも、一対の対向凹部２３を設けたおかげで、低減した高さを有する。蝶番ピン７に係合するために、一対の対向凹部２３により、指状部９ａ、９ｂがアームの外側から内側へ通過することができる。
【００３１】
凹部２３間で延伸するアームの端部５ｃは、アームの回転運動中、突出部４に当接する。特に、突出部は、互いに隣接して角度のついた第１及び第２表面部２４、２５を備える。それらの間には、角部２６が特定される。歯部２２は、表面部２５から中央に直立する。
【００３２】
上述の構造のおかげで、アームが開位置にいるとき、アーム端部５ｃは、表面部２４に当接したままでいることができるが、正面フレーム上の閉位置において、表面部２５に当接されつつ保持される。また、前記アーム端部も、閉位置と開位置の間でアームの移動中、摺動可能に角部２６に当接する。前記移動は、以下で明らかになるように、正面フレームワークに対する組み合わせた回転並進運動である。
【００３３】
アームを正面フレームワークに組み付けるために、距離素子１５は、まず、アームの外側から図９の状態におけるハウジング１６に挿入される。２つのタブ１７が表面凹部１９にそれぞれ収納されるので、結果として、アームの外側面５ｂからの距離素子の突出が最小となる。この突出の規模は、コンマ数ミリメートルであればよく、例えば、好適な選択では、０．３ｍｍであればよい。
【００３４】
この同じ工程において、次に、可撓性素子は、図８に示すように、可撓性部材の部分１０に貫通口１１を係合させるとともに、同時に、アームを突出部にもっていき、歯部２２の貫通口２１と係合することにより、アームに連結される。この構造では、アーム上における部分１０の保持領域の周りのアームに対する可撓性部材９の回転により、可撓性部材の指状部９ａ、９ｂの対応する端部に蝶番ピン７を係合させることができ、可撓性部材の小さな変形を必要とする。このように達成した構造では、可撓性部材９の部分１３に適度な圧力（可撓性の予荷重）を掛けることにより、可撓性部材９に接触する距離素子１５が設けられる。その代わりの実施形態では、可撓性部材に接触しない距離素子１５が設けられてもよく、それにより、（前記可撓性部材９に可撓性の予荷重を作り出すような弾性変形を誘引しないので）前記可撓性部材に圧力が掛からなくてもよい。
【００３５】
この第２の構成では、可撓性部材の部分１２は、アームに当接し、そのため、部分１３は、距離素子１５により部分１３に及ぼされる圧力なく、アームから離間したままである。
【００３６】
その次の組立工程では、適切なツールは、（距離素子の掴み面に該ツールを係合させ、アームの内側から作動させることにより）距離素子１５を回転させるのに用いられる。距離素子１５は、アームからより大きい突出の位置に向けて移動される（一連の図１０及び図１１）。距離素子１５を回転させることにより、距離素子１５は、アームの外側面５ｂに対して次第により大きい程度だけ突出する。各タブ１７の傾斜壁２０により、距離素子がアームの表面からさらに離れて移動され、それにより、突出度を増加させる。その回転は、好ましくは、距離素子が図９の初期位置に対して約９０度だけ回転されるまで与えられる。
【００３７】
距離素子１５の取り出しにより作られる距離は、可撓性部材９に対する圧力を増加させ、（ピン及びアームへの取り付け位置に対して）可撓性部材９をさらに弾性的に変形させ、これにより、前記可撓性部材内への可撓性の予荷重を誘引する。
【００３８】
距離素子１５がまずアームに装着されるが、可撓性部材には接触しない上記変形例では、距離素子１５のそれに続く取り出しにより作られる距離は、可撓性部材９に対する圧力を生成し、（ピン及びアームの取り付け位置に対して）可撓性部材９を弾性的に変形させ、予め選択した可撓性の予荷重を誘引する。このより大きい突出の好適値は、例えば、約０．６ｍｍに選択されればよいが、より小さい突出は、０．３ｍｍに選択される。
【００３９】
誘発した予張のために、可撓性部材９は、採用した位置に応じて、自動的に閉位置又は開位置にアームを戻すことができ、（全開位置と全閉位置の間の４５度に位置する）不安定均衡の位置を通過する弾性復帰動作を及ぼす傾向がある
【００４０】
距離素子１５は、一旦アームの外側から最大に突出した操作位置に移動すると、内側において、アームの内側面と本質的に外見上同一平面であるような方法で、（軸方向寸法に関して）作られることに注意されたい。これは、顕著な審美的利点を提供する。
【００４１】
図１４〜図１６は、アームの移動で到達する一連の位置を示す。
【００４２】
図１４は、アームの開位置を示す。この状態では、アーム５は、（その端部５ｃにおいて）突出部の表面部２４に接触する。この位置から閉位置に向けたアームの移動は、アームを開位置に自動的に復帰させる傾向がある弾性復帰を誘発する。この振る舞いは、図１５に示す不安定均衡の位置（本質的に、４５度）に到達するまで存在する。弾性復帰動作は、その位置を超えて、正面フレームワーク上の図１６に示す閉位置に向けてアームを復帰させる傾向にある。閉位置では、アーム５は、（その端部５ｃにおいて）突出部の表面部２５に当接する。実際には、不安定均衡の位置の周りには、（外部からの衝撃なく）アームを自動的に閉位置又は開位置に戻すような一種の開閉「弾性クリック」が生成される。
【００４３】
開動作又は閉動作では、アーム５は、突出部の角部２６に摺動接触したまま、該角部２６に対して回転並進運動を実行する。言い換えれば、突出部に対してアームの回転並進運動により誘発されるアームの端部と突出部の角部との間の相対摩擦での接触がある。さらに、閉位置（図１６）と不安定均衡（図１５）の位置との間の移動（逆もしかり）では、スロット貫通口２１に摺動可能に係合される歯部２２は、蝶番関節運動のための案内手段として機能する。一旦、最大突出の操作位置に到達すると、前記可撓性部材９とアームの外側面５ｂの表面との干渉のおかげで、ハウジング１６からの距離素子１５の離脱は、可撓性部材９の弾性反応により耐えられることに注意されたい。
【００４４】
図１７及び図１８を参照して、本発明の更なる実施形態は、例えば、ねじ込み式筒状ビーズとして、距離素子がねじ込みステム１５’の形状で作られることを提供する。ねじ込み式筒状ビーズは、ねじ込みステム１５’を回転させるのに適したねじ回し又は同様のツールの使用のための上部切込み３０を備える。更なる代替では、作動ヘッドとねじ込みステムとを備えるねじとして距離素子を作ることができる。
【００４５】
前記ねじ込みステム１５’は、ねじ留めすることにより内部ねじ軸受け筒３１に係合可能である。ねじ軸受け筒３１は、円形貫通口１６ａのレベルにおいて、アーム５の内側に（例えば、溶接により）固定される。好ましくは、筒状のねじ軸受け筒３１は、その端基部の一方により、アームの内側面に固定されてもよい。
【００４６】
ねじ軸受け筒３１のねじ内穴は、貫通口１６ａと同軸であり、その寸法は、（適切な径方向の遊びで貫通口１６ａを貫通して）ねじ軸受け筒３１にねじ留めされるとき、ねじ込みステム１５’がアームの内側面から突出可能な寸法である。したがって、ねじ連結により、距離素子は、上記と同じ方法で予め選択した可撓性の予荷重を誘発するために、可撓性部材９から離れたり、可撓性部材９に向かったり軸方向に移動することができ、可撓性部材９を弾性変形させることができる。
【００４７】
したがって、本発明は、公知の解決手段に対して多くの利点を提供する提案した目的を達成する。
【００４８】
第１の利点は、本発明に係るフレームが、突出部とアームの間の関節の構成要素の素早く簡単な組立てを可能にするという事実にある。ここでは、可撓性の予荷重は、関節要素の組立て後に、組立て者にとって単純化した手順で導入される。
【００４９】
更なる利点は、突出部とアームとの間にアームとは独立して作られた可撓性部材を設けることにより、アームと可撓性部材のそれぞれに異なる原料を用いることができ、フレームのこれらの各構成要素に要求される機能的特性を最適化することができるという事実にある。
【００５０】
更なる利点は、アームの関節系において、本発明に係るフレームがねじ込み式の蝶番ねじやピンを設ける必要がなく、有利に長期間信頼性があり、フレームの組立て／分解の操作を単純化することができるという事実にある。
【００５１】
更なる利点は、製造工程の単純化と、装置（眼鏡）の部品点数の限定にある。これらの特徴により、非常にコンパクトな寸法で、特に軽量タイプの眼鏡を作ることができる。
【図１】
2019505851.tif 000003
【図２】
2019505851.tif 000004
【図３】
2019505851.tif 000005
【図４】
2019505851.tif 000006
【図５】
2019505851.tif 000007
【図５Ａ】
2019505851.tif 000008
【図６】
2019505851.tif 000009
【図７】
2019505851.tif 000010
【図７Ａ】
2019505851.tif 000011
【図８】
2019505851.tif 000012
【図９】
2019505851.tif 000013
【図１０】
2019505851.tif 000014
【図１１】
2019505851.tif 000015
【図１２】
2019505851.tif 000016
【図１３】
2019505851.tif 000017
【図１４】
2019505851.tif 000018
【図１５】
2019505851.tif 000019
【図１６】
2019505851.tif 000020
【図１７】
2019505851.tif 000021
【図１８】
2019505851.tif 000022
【国際調査報告】
2019505851.tif 000023
2019505851.tif 000024
2019505851.tif 000025